(57)【要約】【課題】洗濯機の表示灯制御を行ない、省エネの洗濯機制御システムを提供すること。【解決手段】洗濯機１１１とデータ通信を行う端末装置１１２と、端末装置にデータを送受信する洗濯機側送受信部１１５と、電源入り切りと運転コースの設定などを行うための入力手段１１７と、設定内容や動作状況などを点灯表示する表示手段１１６と、表示手段の消灯時間を含む設定内容を記憶する洗濯機に設けた不揮発性メモリ１１８と、表示手段や洗濯機の一連の運転工程を制御する制御手段１１９とを備え、制御手段は、不揮発性メモリの記憶した消灯時間を、端末装置から送信された表示手段の消灯時間に書き換えるようにしたことにより、洗濯機１１１の運転中に、必要な時だけ表示手段１１６の表示灯を点灯し、不必要な時は消灯することができるので、省エネを図ることができる。【選択図】図１
2014171562.tif 000002
【特許請求の範囲】
【請求項１】
洗濯機とデータ通信を行う端末装置と、前記端末装置にデータを送受信する洗濯機側送受信部と、電源入り切りと運転コースの設定などを行うための入力手段と、設定内容や動作状況などを点灯表示する表示手段と、前記表示手段の消灯時間を含む前記設定内容を記憶する前記洗濯機に設けた不揮発性メモリと、前記表示手段や洗濯機の一連の運転工程を制御する制御手段とを備え、前記制御手段は、前記不揮発性メモリの記憶した前記消灯時間を、前記端末装置から送信された前記表示手段の消灯時間に書き換えるようにした洗濯機制御システム。
【請求項２】
前記不揮発性メモリは前記表示手段を消灯後に再点灯する再点灯時間を記憶し、前記制御手段は、前記不揮発性メモリの記憶した前記再点灯時間を、前記端末装置から送信された前記表示手段の再点灯時間に書き換えるようにした請求項１に記載の洗濯機制御システム。
【請求項３】
前記不揮発性メモリの記憶した前記表示手段の消灯時間は、前記表示手段が消灯するまでは、前記制御手段によって、前記端末装置から送信された前記表示手段の消灯時間に書き換えることができるようにした請求項１または２に記載の洗濯機制御システム。
【請求項４】
前記不揮発性メモリの記憶した前記表示手段の再点灯時間は、前記表示手段が消灯中は、前記制御手段によって、前記端末装置から送信された前記表示手段の再点灯時間に書き換えることができるようにした請求項２または３に記載の洗濯機制御システム。
【発明の詳細な説明】
【技術分野】
【０００１】
本発明は、洗い、すすぎ、脱水など一連の工程を自動制御して行なう洗濯機を制御する制御システムに関するものである。
【背景技術】
【０００２】
従来、この種の洗濯機の制御は、制御部により、例えば、洗い、すすぎ、脱水などの一連の行程をプログラム制御する制御方式が提案されてきた（例えば、特許文献１参照）。
【０００３】
図７は、従来の洗濯機の縦断面図、図８は、同洗濯機の操作部を示すものである。
【０００４】
図７において、洗濯機２０１は、略長方体に構成した筐体２０３を備えており、この筐体２０３の内部に、略円筒形に構成した水受け槽２０４を吊り棒２０５によって吊り下げ、この水受け槽２０４内に、略円筒形状に構成した洗濯兼脱水槽２０６を回転自在に内包している。洗濯兼脱水槽２０６の底部には、撹拌翼２０７を垂直方向に沿った軸の回りに回転自在に設けている。
【０００５】
水受け槽２０４外底部には、撹拌翼２０７を回転させるモータ２０８を設け、モータ２０８は、直流ブラシレスモータによって構成している。モータ２０８と撹拌翼２０７との間には、動力切換機構２０９を設け、この動力切換機構２０９は、洗濯時にはモータ２０８からの駆動力を減速して撹拌翼２０７へ伝達し、脱水時にはモータ２０８からの駆動力を１対１で撹拌翼２０７へ伝達する。
【０００６】
水受け槽２０４の上には、散水用の吐出部を形成するカバー体２１０を設けている。また、筐体２０３の上方には、洗濯兼脱水槽２０６内に給水する給水弁２１１を設けている。また、水受け槽２０４の下方には、水受け槽２０４内の洗濯水を排水する排水弁２１２を設けている。
【０００７】
水受け槽２０４の外壁下部に接続部２１３を設け、この接続部２１３に水受け槽２０４の水位を検知する水位検知器２１４を接続し、水位検知器２１４は接続部２１３における水圧を電気的な周波数に変換するよう構成している。
【０００８】
また、洗濯機２０１の上面前部には、操作部２０２を配設し、運転コース等のモードや各種機能の選択は、使用者が操作部２０２から入力部２２６へ入力して行ない、洗濯機２０１の上面前部内方に設けられた制御部２２２が、その入力情報を基に操作部２０２の表示部２２７に表示して使用者に知らせる。
【０００９】
図８において、入力部２２６は、洗い時間を設定する洗い時間設定スイッチ２２６ａ、すすぎ回数を設定するすすぎ回数設定スイッチ２２６ｂ、脱水時間を設定する脱水時間設定スイッチ２２６ｃ、乾燥時間を設定する乾燥時間設定スイッチボタン２２６ｄ、スタート・一時停止スイッチ２２６ｅ、電源入りスイッチ２２６ｆ、電源切りスイッチ２２６ｇなどを有し、表示部２２７は、洗い時間表示部２２７ａ、すすぎ回数表示部２２７ｂ、脱水時間表示部２２７ｃ、乾燥時間表示部２２７ｄなどを有している。
【００１０】
また、入力部２２６には、複数の基本運転コースと特別運転コースとのいずれかを選択する運転コース選択スイッチ２２６ｈを設けており、表示部２２７に、複数の基本運転コースと特別運転コースとのそれぞれに対応する複数の運転コース選択表示部２２７ｅとを設けている。ここで、特別運転コースは、入力部２２６に入力された洗い時間、すすぎ回
数、脱水時間をそれぞれ変更することによって設定する。
【００１１】
複数の運転コース選択表示部２２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１２】
特別運転コースは、洗い時間、すすぎ回数、脱水時間を任意に設定することができる。運転コース選択表示部２２７ｅは、「おまかせコース」、「お急ぎコース」、「おうちクリーニングコース」、「特別運転コース」ごとにそれぞれ設けている。運転コース選択スイッチ２２６ｈを押すたびに「おまかせコース」、「お急ぎコース」、「おうちクリーニングコース」、「特別運転コース」と、この順番に運転コース選択表示部２２７ｅが切り替わって点灯してゆく。
【００１３】
上記構成において、運転コース選択スイッチ２２６ｈを押すことによって、特別運転コースが選択されると、最も標準的な運転コースである「おまかせコース」に予め規定された洗い時間、すすぎ回数、脱水時間が、洗い時間表示部２２７ａ、すすぎ回数表示部２２７ｂ、脱水時間表示部２２７ｃに表示される。そして、使用者は、洗い時間表示部２２７ａ、すすぎ回数表示部２２７ｂ、脱水時間表示部２２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２２６ａ、すすぎ回数設定スイッチ２２６ｂ、脱水時間設定スイッチ２２６ｃをそれぞれ複数回押すことによって、特別運転コースを設定する。
【００１４】
その後、制御部２２２は、入力部２２６によって設定された特別運転コースに基づいて、洗い、すすぎ、脱水、乾燥の一連の行程を実行するように制御する。
【先行技術文献】
【特許文献】
【００１５】
【特許文献１】特開２００２−１１９７８８号公報
【発明の概要】
【発明が解決しようとする課題】
【００１６】
しかしながら、このような従来の構成では、使用者が洗濯機を使用する場合、洗濯物を入れた後、電源を入れ、コース等の設定を行なうと、設定した内容がＬＥＤなどで表示され、運転をスタートさせると、行程の進行に従って表示内容も変わっていくが、運転開始後は、使用者が残時間の確認等で洗濯機の前に居る場合を除いて、洗濯機の前から離れている場合がほとんどである。そのため、運転中の表示灯を点灯させても使用者の目に入ることはない。運転中、操作パネル部の表示灯は点灯した状態なので、長時間に亘って表示灯の点灯状態が継続され、消費電力の無駄につながるという課題があった。
【００１７】
本発明は、前記従来の課題を解決するもので、洗濯機と携帯電話等の端末装置の間に無線による送受信の通信機能を持つことにより、運転が開始した後の操作パネル部の表示灯の消灯と再点灯時間を設定することにより、省エネを図る洗濯機を提供することを目的としている。
【課題を解決するための手段】
【００１８】
前記従来の課題を解決するために、本発明の洗濯機制御システムは、洗濯機とデータ通信を行う端末装置と、前記端末装置にデータを送受信する洗濯機側送受信部と、電源入り
切りと運転コースの設定などを行うための入力手段と、設定内容や動作状況などを点灯表示する表示手段と、前記表示手段の消灯時間を含む前記設定内容を記憶する前記洗濯機に設けた不揮発性メモリと、前記表示手段や洗濯機の一連の運転工程を制御する制御手段とを備え、前記制御手段は、前記不揮発性メモリの記憶した前記消灯時間を、前記端末装置から送信された前記表示手段の消灯時間に書き換えるようにしたものである。
【００１９】
これによって、洗濯機の運転中に、必要な時だけ表示灯を点灯し、不必要な時は消灯することができるので、省エネを図ることができる。
【発明の効果】
【００２０】
本発明の洗濯機制御システムは、携帯電話等の端末装置を用いて操作パネル部の表示灯の消灯と点灯時間を自由に設定して運転することにより、省エネを図ることができる。
【図面の簡単な説明】
【００２１】
【図１】本発明の実施の形態における洗濯機制御システムの構成を示す概略図
【図２】同洗濯機制御システムの構成を示すブロック回路図
【図３】同洗濯機制御システムの洗濯機の縦断面図
【図４】同洗濯機制御システムの洗濯機の操作パネル部の正面図
【図５】同洗濯機制御システムの洗濯機の操作パネル部の消灯および点灯を設定する動作フローチャート
【図６】同洗濯機制御システムの洗濯機の操作パネル部の消灯および点灯を再設定する動作フローチャート
【図７】従来の洗濯機の縦断面図
【図８】同洗濯機の操作部の正面図
【発明を実施するための形態】
【００２２】
第１の発明は、洗濯機とデータ通信を行う端末装置と、前記端末装置にデータを送受信する洗濯機側送受信部と、電源入り切りと運転コースの設定などを行うための入力手段と、設定内容や動作状況などを点灯表示する表示手段と、前記表示手段の消灯時間を含む前記設定内容を記憶する前記洗濯機に設けた不揮発性メモリと、前記表示手段や洗濯機の一連の運転工程を制御する制御手段とを備え、前記制御手段は、前記不揮発性メモリの記憶した前記消灯時間を、前記端末装置から送信された前記表示手段の消灯時間に書き換えるようにしたことにより、洗濯機の運転中に、必要な時だけ表示灯を点灯し、不必要な時は消灯することができるので、省エネを図ることができる。
【００２３】
第２の発明は、特に、第１の発明の不揮発性メモリは前記表示手段を消灯後に再点灯する再点灯時間を記憶し、前記制御手段は、前記不揮発性メモリの記憶した前記再点灯時間を、前記端末装置から送信された前記表示手段の再点灯時間に書き換えるようにしたことにより、洗濯機の運転中の消灯と再点灯時間の設定変更はいつでも可能であり、必要な時だけ表示灯を点灯し、不必要な時は消灯することができるので、省エネを図ることができる。
【００２４】
第３の発明は、特に、第１または第２の発明の不揮発性メモリの記憶した前記表示手段の消灯時間は、前記表示手段が消灯するまでは、前記制御手段によって、前記端末装置から送信された前記表示手段の消灯時間に書き換えることができるようにしたことにより、表示手段が消灯するまでは消灯時間を変更することができ、利便性が向上する。
【００２５】
第４の発明は、特に、第２または第３の発明の不揮発性メモリの記憶した前記表示手段の再点灯時間は、前記表示手段が消灯中は、前記制御手段によって、前記端末装置から送信された前記表示手段の再点灯時間に書き換えることができるようにしたことにより、表
示手段が再点灯するまでは再点灯時間を変更することができ、利便性が向上する。
【００２６】
以下、発明の実施の形態について、図面を参照しながら説明する。また、この実施の形態によって本発明が限定されるものではない。
【００２７】
（実施の形態１）
図１は本発明の実施の形態における洗濯機制御システムの構成を示す概略図、図２は同洗濯機制御システムの内部構成を示すブロック図を示すものである。
【００２８】
図１、図２において、洗濯機１１１は、データ通信手段である洗濯機側送受信部１１５、洗濯機本体１００の前面上部に設けた操作パネル部１２１に配設された表示手段１１６、入力手段１１７、及び、不揮発性メモリ１１８と、それら全体を制御する制御手段１１９などを備えており、洗濯機１１１と無線によりデータ通信する端末装置１１２は、不揮発性メモリ１１３とデータ通信手段である端末側送受信部１１４などを備えている。端末装置１１２は、例えば携帯電話やスマートフォンからなる。また、制御手段１１９は、不揮発性メモリ１１８の記憶した内容を書き換える書き換え手段（図示せず）を有している。
【００２９】
図３は、本発明の実施の形態における洗濯機制御システムの洗濯機の縦断面図である。
【００３０】
図３において、ドラム式の洗濯機１１１は、洗濯物を収容して回転駆動される回転ドラム１が、水槽２内に回転自在に内包され、この水槽２内の給水、排水の制御、及び、回転ドラム１の回転を制御することにより、洗濯、すすぎ、脱水の各工程を実施すると共に、送風手段である送風ファン４により、水槽２内の空気を、除湿手段、加熱手段を備えた循環送風経路９、１１を通して循環させることにより、洗濯物の乾燥工程を実施するようになっている。
【００３１】
ここで、除湿手段、加熱手段は、圧縮機１６と冷媒回路で接続した空気調和機を構成する蒸発器１７、凝縮器１９で構成され、送風ファン４により、水槽２内の空気を循環送風経路に導入して、蒸発器１７及び凝縮器１９を順次に通して熱交換することで除湿後に加熱した乾いた高温空気とし、これを水槽２内に送風して回転ドラム１内の洗濯物に曝すことを繰り返し、効率よく乾燥させられるようにしている。以下、さらに詳しく構成を説明する。
【００３２】
洗濯機１１１は、洗濯機本体１００内に、水槽２を支えるとともに、衣類の偏りなどで発生する水槽２の振動を減衰させるダンパ４１とばね（図示せず）によって、水槽２が揺動自在に配設され、有底円筒形に形成された回転ドラム１は、水槽２内にその軸心方向を正面側から背面側に向けて下向きに傾斜させて配設されている。
【００３３】
水槽２の正面側には、回転ドラム１の開口端に通じる衣類出入口４２が形成され、洗濯機本体１００の正面側に形成された上向き傾斜面に設けられた開口部４３を開閉可能に閉じる扉３５を開くことにより、衣類出入口４２を通じて回転ドラム１内に対して洗濯物を出し入れすることができる。扉３５が上向き傾斜面に設けられているため、洗濯物を出し入れする作業に腰を屈めることなく実施でき、一般には横向きにある開口部４３から洗濯物を出し入れするドラム式の洗濯機の作業性の悪さが改善されている。
【００３４】
回転ドラム１には、その周面に水槽２内に通じる多数の透孔４４が形成され、内周面の複数位置に衣類攪拌用の攪拌突起（図示せず）が形成されている。この回転ドラム１は、水槽２の背面側に取り付けられたモータ３によって正転及び逆転方向に回転駆動される。また、水槽２には、注水管路（図示せず）、及び排水管路４０が配管接続され、注水弁（
図示せず）、及び排水弁２７の制御によって水槽２内への注水及び排水がなされる。
【００３５】
扉３５を開いて、回転ドラム１内に洗濯物及び洗剤を投入して、操作パネル部１２１での操作で、その内側に設けられた制御装置（図示せず）に配設された制御手段１１９を通じて運転を開始させると、水槽２内には注水管路から所定量の注水がなされ、モータ３により回転ドラム１が回転駆動されて洗い工程が開始される。
【００３６】
洗い工程が開始されると、回転ドラム１の回転により、回転ドラム１内に収容された洗濯物は、回転ドラム１の内周壁に設けられた攪拌突起によって回転方向に持ち上げられ、持ち上げられた適当な高さ位置から落下する攪拌動作が繰り返されるので、洗濯物には叩き洗いの作用が及んで洗いがなされる。
【００３７】
所定の洗い時間の後、汚れた洗濯液は排水管路４０から排出され、回転ドラム１を高速回転させる脱水動作により洗濯物に含まれた洗濯液を脱水し、その後、水槽２内に注水管路から注水してすすぎ工程が実施される。このすすぎ工程においても、回転ドラム１内に収容された洗濯物は、回転ドラム１の回転により攪拌突起により持ち上げられて落下する攪拌動作が繰り返されて、すすぎ洗いが実施され、すすぎ工程の後に脱水工程が行なわれる。
【００３８】
また、洗濯機１１１は、回転ドラム１内に収容した洗濯物を乾燥する機能を有しており、前述のように、水槽２内の空気を排気して除湿し、加熱され乾燥した空気を再び水槽２内に送風する循環送風経路９、１１が形成されている。この循環送風経路９、１１の途中には、ヒートポンプ装置５０を構成する蒸発器１７などの除湿手段、凝縮器１９などの加熱手段、冷媒を圧縮する圧縮機１６、及び送風手段である送風ファン４が配されている。
【００３９】
この送風ファン４を回転駆動することにより、循環送風経路９、１１に空気の流れが発生して、洗濯物を収容した回転ドラム１内の空気は、透孔４４を通じて水槽２から送風ファン４側への循環空気導入管路５に排気される。循環空気導入管路５に排気された空気は、送風ファン４の上流に位置する蒸発器１７により、水分を結露させて除湿されるとともに、凝縮器１９との熱交換により加熱されて、常に乾燥した高温の空気とされる。この乾燥した高温の空気は、送風ファン４から水槽２への循環送風経路９、１１に送り出されて、水槽２内に送風される。水槽２内に送風された高温の乾燥空気は、透孔４４を通じて回転ドラム１内に入って、衣類などの洗濯物に曝されながら水槽２へと抜け、再度、循環送風経路９、１１へと導入される。以上の循環送風経路９、１１での空気の循環の繰り返しにより、乾燥工程が実施される。
【００４０】
図４は、本発明の実施の形態における洗濯機制御システムの洗濯機の操作パネル部の正面図である。
【００４１】
図４において、洗濯機本体１００の前面上部に設けられた操作パネル部１２１には、入力手段１１７として、洗い時間を設定する洗い時間設定スイッチ１１７ａ、すすぎ回数を設定するすすぎ回数設定スイッチ１１７ｂ、脱水時間を設定する脱水時間設定スイッチ１１７ｃ、乾燥時間を設定する乾燥時間設定スイッチ１１７ｄ、スタート／一時停止スイッチ１１７ｇ、電源入りスイッチ１１７ｉ、電源切りスイッチ１１７ｈなどを有するとともに、既存コース選択スイッチ１１７ｅ、洗濯工程と乾燥工程の組み合わせを選択する洗乾切替設定スイッチ１１７ｆなどを有している。
【００４２】
また、表示手段１１６として、洗乾切替表示灯１１６ａ、既存コース表示灯１１６ｂ、洗剤量や残時間などを表示するブロック表示灯１１６ｃ、フィルター掃除の目安を表示するフィルター表示灯１６ｄ、子供安全の設定を表示する１１６ｅ、洗い時間、すすぎ回数
、脱水時間、乾燥時間の設定と工程進行を表示する工程表示灯１１６ｆなどがある。なお、これらの表示灯は、発光ダイオード（ＬＥＤ）にて点灯表示されるよう構成されている。
【００４３】
また、操作パネル部１２１の近傍には、前述した洗濯機側送受信部１１５が内設されており、この洗濯機側送受信部１１５は、ＲＦＩＤ（Ｒａｄｉｏ  Ｆｒｅｑｕｅｎｃｙ  Ｉｄｅｎｔｉｆｉｃａｔｉｏｎ）用のＩＣとアンテナを、一枚のプリント基板上で一体化（図示せず）させている。そして、この洗濯機側送受信部１１５に端末装置１１２を近づけることにより、端末装置１１２の端末側送受信部１１４とデータ通信を行なうことができる。
【００４４】
以上のように構成された洗濯機制御システムについて、その動作、作用を説明する。
【００４５】
図５は、本発明の実施の形態における洗濯機制御システムの洗濯機の操作パネル部の消灯および点灯を設定する動作フローチャート、図６は、同操作パネル部の消灯、点灯を再設定する動作フローチャートを示すものである。
【００４６】
図５において、使用者が、洗濯機１１１の操作パネル部１２１の入力手段１１７にて、電源入りスイッチ１１７ｉを押して電源を入れた（ステップＳ１）後、洗濯物と洗剤を投入（ステップＳ２）し、コース、洗い、すすぎ、脱水、乾燥の各工程を設定する（ステップＳ３）と、表示手段１１６にて設定内容を表示する（ステップＳ４）。
【００４７】
ここで、端末装置１１２で、洗濯機１１１と無線にてデータ通信を行ない、表示された表示手段１１６を工程途中で消灯し、さらに再点灯する時間を設定するために、洗濯機１１１の運転を開始する前に、使用者が端末装置１１２の画面上で、表示手段１１６の消灯と再点灯時間の設定をあらかじめ行っておく。その設定を行う際に、使用者は、端末装置に専用のアプリケーションソフト（通称、アプリ）を事前にダウンロードして、不揮発性メモリ１１３に記憶させておき、このアプリを使って表示手段１１６の消灯と点灯時間の設定を行う。
【００４８】
なお、洗濯機１１１と端末装置１１２の間でデータ通信を行う方法の一例として、ＮＦＣ規格に基づいたプロトコルに従って行う方法がある。このＮＦＣ規格とは、国際標準規格として承認されている近距離無線通信技術であり、共にＮＦＣの通信規格を搭載している機器同士で双方向に通信可能なため、現在は幅広く使われている。このＮＦＣ規格は、例えば、交通系カードや電子マネーとして使用されている。
【００４９】
ステップＳ５で、使用者が端末装置１１２に専用アプリを表示して開始し、消灯設定を選択し（ステップＳ６のＹＥＳ）、表示手段１１６を消灯する時間を設定する（ステップＳ７）。さらに、消灯設定した表示手段１１６の再点灯設定を選択し（ステップＳ８のＹＥＳ）、表示手段１１６を再点灯する時間を設定する（ステップＳ９）。なお、消灯および再点灯の設定は、端末装置１１２の不揮発性メモリ１１３に記憶される。
【００５０】
そして、ステップＳ１０で、端末装置１１２を洗濯機１１１の洗濯機側送受信部１１５に近づけると、端末装置１１２の不揮発性メモリ１１３に記憶された消灯、再点灯時間設定のデータが端末側送受信部１１４から送信され（ステップＳ１１）、送信されたデータを洗濯機側送受信部１１５で受信し、不揮発性メモリ１１８に記憶されていたデータが、制御手段１１９によって端末側送受信部１１４から送信されたデータに書き換えられる（ステップＳ１２）。
【００５１】
その後、スタート／一時停止スイッチ１１７ｇを押すと、洗濯機１１１は、制御手段１
１９により運転を開始する（ステップＳ１３）。運転を開始すると、選択されたコースに従って各工程が実行されていき、操作パネル部１２１の表示手段１１６は、選択されたコースの洗乾切替表示灯１１６ａや既存コース表示灯１１６ｂは点灯されたままであるが、ブロック表示灯１１６ｃの残時間、および、工程表示灯１１６ｆの各工程の表示は、その進行状況に合わせて変化していく。しかし、運転は継続されるが、消灯設定された時間になると、制御手段１１９により表示手段１１６の表示灯は消灯され（ステップＳ１４）、工程が進行して再点灯される時間になると、制御手段１１９により表示手段１１６の表示灯は再点灯され（ステップＳ１５）、運転終了（ステップＳ１６）まで点灯された状態が続く。
【００５２】
これにより、運転中の表示灯を消灯した状態で洗濯機１１１の運転を行うことができ、また、終了前の必要な時間のみ表示灯を再点灯できるので、省エネを図ることができる。
【００５３】
次に、図５で設定した消灯、再点灯設定の時間を変更したい場合について、説明する。
【００５４】
図６において、洗濯機１１１の工程運転中（ステップＳ２１）に、消灯および再点灯設定を変更したい場合は、ステップＳ２２で、使用者が端末装置１１２に専用アプリを表示して開始し、消灯再設定を選択し（ステップＳ２３のＹＥＳ）、初めに設定した消灯時間前であるならば（ステップＳ２４のＹＥＳ）、消灯する時間を再設定する（ステップＳ２５）。なお、消灯の再設定は、端末装置１１２の不揮発性メモリ１１３に記憶される。さらに、再点灯時間を再設定しないならば（ステップＳ２６のＮＯ）、ステップＳ２７で消灯再設定したかを確認し、消灯する時間を再設定しているので（ステップＳ２７のＹＥＳ）、ステップＳ２８で端末装置１１２を洗濯機１１１の洗濯機側送受信部１１５に近づけると、端末装置１１２の不揮発性メモリ１１３に記憶された消灯の再設定時間データが送信され（ステップＳ２９）、送信されたデータを洗濯機側送受信部１１５で受信し、不揮発性メモリ１１８に記憶されていたデータが、制御手段１１９によって端末側送受信部１１４から送信されたデータに書き換えられる（ステップＳ３４）。
【００５５】
ステップＳ２６で、再点灯設定を選択すると（ステップＳ２６のＹＥＳ）、初めに設定した再点灯前であるならば（ステップＳ３０のＹＥＳ）、再点灯する時間を再設定する（ステップＳ３１）。なお、再点灯の再設定は、端末装置１１２の不揮発性メモリ１１３に記憶される。そして、ステップＳ３２で端末装置１１２を洗濯機１１１の洗濯機側送受信部１１５に近づけると、端末装置１１２の不揮発性メモリ１１３に記憶された表示灯の再設定時間データが送信され（ステップＳ３３）、送信されたデータを洗濯機側送受信部１１５で受信し、不揮発性メモリ１１８に記憶されていたデータが、制御手段１１９によって端末側送受信部１１４から送信されたデータに書き換えられる（ステップＳ３４）。
【００５６】
そして、消灯を再設定された時間になると、制御手段１１９により表示手段１１６の表示灯は消灯され（ステップＳ３５）、工程が進行して再点灯を再設定された時間になると、制御手段１１９により表示手段１１６の表示灯は再点灯され（ステップＳ３６）、運転終了（ステップＳ３７）まで点灯された状態が続く。
【００５７】
これにより、運転中の表示灯を消灯した状態で洗濯機１１１の運転を行うことができ、また、終了前の必要な時間のみ表示灯を再点灯できるので、省エネを図ることができる。
【００５８】
なお、本実施の形態では、乾燥機能を有するドラム式の洗濯機を例に挙げて説明したが、本発明は、これに限定されるものではなく、パルセータ式の洗濯機や乾燥機能を有さない洗濯機であってもよい。
【００５９】
以上のように、本実施の形態においては、洗濯機の工程運転中において、携帯電話など
の端末装置の端末側送受信部から送信された表示手段の消灯の時間設定と、消灯後の再点灯の時間設定を洗濯機側送受信部で受信して、制御手段により表示手段の消灯と再点灯を行なう構成としたことにより、洗濯機の運転中に、必要な時だけ表示灯を点灯し、不必要な時は消灯することができるので、省エネを図ることができる。
【００６０】
また、洗濯機の工程運転中において、端末装置の端末側送受信部から送信された表示手段の消灯の時間設定と、消灯後の再点灯の時間設定を洗濯機側送受信部で受信した後に、端末側送受信部から、消灯までに再度送信された消灯の時間再設定と、再点灯までに送信された再点灯の時間再設定に応じて、制御手段により表示手段の消灯と再点灯を行なう構成としたことにより、洗濯機の運転中の消灯と再点灯時間の設定変更はいつでも可能であり、必要な時だけ表示灯を点灯し、不必要な時は消灯することができるので、省エネを図ることができる。
【産業上の利用可能性】
【００６１】
以上のように、本発明にかかる洗濯機制御システムは、携帯電話等の端末装置を使って洗濯機の表示灯を必要な時だけ点灯し、不必要な時は消灯することにより省エネを図ることができるので、他の衣類乾燥機、食器洗い機等の比較的長い時間にわたり運転状況が変化しつつ使用される電気機器の用途に適用できる。
【符号の説明】
【００６２】
１１１  洗濯機
１１２  端末装置
１１３、１１８  不揮発性メモリ
１１５  洗濯機側送受信部
１１６  表示手段
１１７  入力手段
１１９  制御手段
【図１】
2014171562.tif 000003
【図５】
2014171562.tif 000004
【図６】
2014171562.tif 000005
【図２】
2014171562.tif 000006
【図３】
2014171562.tif 000007
【図４】
2014171562.tif 000008
【図７】
2014171562.tif 000009
【図８】
2014171562.tif 000010